(57)【要約】【課題】  製造が容易で、しかも、一般的なスラックスとほぼ同等のコストで製造することができるヒップアップ機能付きスラックスを提供する。【解決手段】  前身頃の裾からまたぐり上端までの寸法と、後身頃の裾からまたぐり上端までの寸法との差Ｓが８〜１０ｃｍとなる前身頃２及び後身頃３によって構成され、更に、前身頃２の腰部分が、中心線Ｃに対して５．５°以上脇線２ｃ側へ傾斜し、かつ、後身頃３の腰部分が、中心線に対して１８．５°以上脇線３ｃ側へ傾斜しているような形状としたことを特徴とする。【選択図】  図１
2006118095.tif 000002
【特許請求の範囲】
【請求項１】
前身頃の裾からまたぐり上端までの寸法と、後身頃の裾からまたぐり上端までの寸法との差が８〜１０ｃｍとなる前身頃及び後身頃によって構成されていることを特徴とするスラックス。
【請求項２】
前身頃の腰部分が、中心線に対して５．５°以上脇線側へ傾斜し、かつ、後身頃の腰部分が、中心線に対して１８．５°以上脇線側へ傾斜していることを特徴とする、請求項１に記載のスラックス。
【請求項３】
ヒップの丸みに適合した立体形状の後側ポケットが取り付けられていることを特徴とする、請求項１又は請求項２に記載のスラックス。
【請求項４】
中央側下辺上端部が最下端部から少なくとも３ｃｍ以上上方に位置し、かつ、最下端部が中心線Ｃよりも脇側に位置するように構成された後側ポケットが取り付けられていることを特徴とする、請求項１〜３のいずれかに記載のスラックス。
【請求項５】
中央側下辺上端部が最下端部から少なくとも３ｃｍ以上上方に位置し、かつ、最下端部が中心線Ｃよりも脇側に位置するように構成された後側ポケットが取り付けられていることを特徴とするスラックス。
【請求項６】
伸縮性のある生地によって構成されていることを特徴とする、請求項１〜５のいずれかに記載のスラックス。
【発明の詳細な説明】
【技術分野】
【０００１】
本発明は、生地の裁断方法等を工夫することによって、ヒップアップ機能を付加したジーンズ等のスラックスに関する。
【背景技術】
【０００２】
衣料品（特に、女性用の衣料品）の分野においては、衣料品の本来的な機能（ファッション性や保温性等）のほかに、様々な機能を付加した商品が開発され、市場に供給されている。例えば、着用することによってボディラインを補正することができるような下着（補正用下着）などがよく知られている。
【０００３】
また、特殊な形状の伸縮性織編布地を内側（ヒップ当接部分）に縫着したり、内側にガードルを取り付けること等によって、着用時にヒップアップ効果が得られるように工夫したスラックス（ジーンズ等）に関する技術も開発されている（例えば、特開２００３−２６８６０６号公報、特開平９−５９８０８号公報、特開平９−２５６２０４号公報等）。
【０００４】
【特許文献１】特開２００３−２６８６０６号公報
【特許文献２】特開平９−５９８０８号公報
【特許文献３】特開平９−２５６２０４号公報
【発明の開示】
【発明が解決しようとする課題】
【０００５】
補正用下着は、着用者の身体を強く締め付けるようになっているため、着脱が多少面倒であるのに対し、ヒップアップ機能付きスラックスは、通常のスラックスと同様に着脱が容易で、しかも、面倒で窮屈な補正用下着を着用しなくても、簡単にヒップアップ効果を期待できるという利点を有している。
【０００６】
しかしながら、上記のような従来のヒップアップ機能付きスラックスは、一般的なスラックスと比較して製造が容易でないという問題がある。具体的には、通常の作業工程のほかに、特殊な伸縮性布地或いはガードル等をスラックスの内側へ取り付けるための作業工程が必要となり、その際、ヒップに対して作用する矯正力が適正な大きさとなるように、かつ、適正な方向へ矯正力が作用するように、正確な取付作業が要求されることになる。
【０００７】
また、煩雑な作業工程が必要となるばかりでなく、一般的なスラックスと比べて材料費も嵩んでしまうため、製造コストを低く抑えることが難しいという問題がある。
【０００８】
本発明は、このような従来技術の問題点を解決すべくなされたものであって、製造が容易で、しかも、一般的なスラックスとほぼ同等のコストで製造することができるヒップアップ機能付きスラックスを提供することを目的とする。
【課題を解決するための手段】
【０００９】
本発明のヒップアップ機能付きスラックスは、前身頃の裾からまたぐり上端までの寸法と、後身頃の裾からまたぐり上端までの寸法との差（またぐり上端における前後の寸法差）が８〜１０ｃｍとなる前身頃及び後身頃によって構成されていることを特徴としている。尚、前身頃の腰部分が、中心線に対して５．５°以上（好ましくは５．５〜７．５°）脇線側へ傾斜し、かつ、後身頃の腰部分が、中心線に対して１８．５°以上（好ましくは１８．５〜２０．５°）脇線側へ傾斜しているような形状とした場合、ヒップアップ効果をより一層向上させることができる。
【００１０】
また、後側のポケットは、ヒップの丸みに適合した立体形状とすることが好ましく、更に、中央側下辺上端部が最下端部から少なくとも３ｃｍ以上上方に位置し、かつ、最下端部が中心線Ｃよりも脇側に位置するように構成することが好ましい。また、前身頃、後身頃、ポケットはいずれも、伸縮性のある生地によって構成することが好ましい。
【発明の効果】
【００１１】
本発明のスラックスにおいては、身頃のまたぐり上端における前後の寸法差、及び、腰部分の脇線側への傾斜が、一般的なスラックスの身頃よりもそれぞれ大きくなっているため、着用時において生地が全体に後側へ寄りやすく、ヒップを後側上方へ引き上げることができる。
【００１２】
また、一般的なスラックスでは、後側のポケットの下に生地の溜まりができやすく、横方向から見たヒップの形が上下方向へ長く見えやすいが、本発明のスラックスにおいては、後側のポケットがヒップの丸みに適合した立体形状となっているほか、中央側下辺が、一般的なポケットよりも上方に位置するようなデザインとなっているため、着用時において横方向から見たヒップの形を上下方向へ短く見せることができ、ヒップアップ効果を期待することができる。
【００１３】
更に、従来のヒップアップ機能付きスラックスは、一般的なスラックスと比較して製造が容易でなく、製造コストを低く抑えることが難しいという問題があったが、本発明のスラックスは、裁断方法等を工夫するだけでヒップアップ効果を期待でき、内側に特殊な材料を取り付ける等の煩雑な工程は不要であるので、製造が容易であり、また、一般的なスラックスとほぼ同等のコストで製造することができる。
【発明を実施するための最良の形態】
【００１４】
以下、添付図面に沿って本発明「ヒップアップ機能付きジーンズ」の好適な実施形態について説明する。図１は、本発明に係るジーンズを構成する前身頃２、及び、後身頃３（いずれも右半身）の平面図である。尚、この図において符号２ａ，３ａはまたぐり線、２ｂ，３ｂは身頃ウエスト線、２ｃ，３ｃは脇線、２ｄ，３ｄは裾線、２ｅ，３ｅは内股線、破線で示す４，５は、同サイズの一般的なジーンズの前身頃及び後身頃の輪郭線である。
【００１５】
本発明のジーンズは、伸縮性のあるデニム生地によって構成されており、当該素材生地を裁断して得られた図１の前身頃２、後身頃３、及び、図示しない左半身の前身頃、後身頃等を縫製することによって製造される。
【００１６】
本発明のジーンズを構成する前身頃２、後身頃３は、一般的なジーンズの身頃と比べて特徴的な形状をしており、かかる特徴的な形状の身頃を縫製することにより、着用時においてヒップアップ効果を期待できるジーンズを製造することができる。以下、この点について説明する。
【００１７】
本発明のジーンズの前身頃２は、図１からも明らかなように、またぐり上端２ｆが一般的なジーンズよりも低い位置となるようにデザインされており、また、後身頃３は、またぐり上端３ｆが一般的なジーンズよりも高い位置となるようにデザインされている。
【００１８】
このため本発明のジーンズにおいては、前身頃の裾からまたぐり上端までの寸法と、後身頃の裾からまたぐり上端までの寸法との差（またぐり上端における前後の寸法差）が、一般的なジーンズよりも大きくなっている。具体的に説明すると、図２は、図１に示した前身頃２と後身頃３とを、中心線Ｃ及び裾線２ｄ，３ｄを揃えて重ね合わせた状態を示す図であり、本発明のジーンズにおいては、またぐり上端における前後の寸法差Ｓは９（±１）ｃｍとなっており、一般的なジーンズにおけるまたぐり上端の前後の寸法差（通常は約５〜７ｃｍ）よりも大きく設定されている。
【００１９】
また、本発明のジーンズは、腰部分（図３に示すヒップ線Ｈよりも上方の部分）が、一般的なジーンズよりも脇方向（脇線２ｃ，３ｃ側）へ傾斜したような形状となっている。より具体的に説明すると、図３に示す交点Ｘ１（前身頃２のまたぐり線２ａとヒップ線Ｈとの交点）におけるまたぐり線２ａの傾斜角度Ｒ１（中心線Ｃの平行線Ｐに対する傾斜角度）は６．５（±１）°となっており、またぐり線２ａの脇線２ｃ側への傾斜は、一般的なもの（傾斜角度は通常２．５〜４．５°）よりも若干大きくなっている。尚、本発明においては、交点Ｘ１よりも上方の部分も、交点Ｘ１と同様の傾斜角度となっている。
【００２０】
また、図３に示す交点Ｘ２（後身頃３のまたぐり線３ａとヒップ線Ｈとの交点）におけるまたぐり線３ａの傾斜角度Ｒ２は、１９．５（±１）°となっており、またぐり線３ａの脇線３ｃ側への傾斜は、一般的なもの（傾斜角度は通常１６．５〜１８．５°）よりも若干大きくなっている。尚、本発明においては、交点Ｘ２よりも上方の部分も、交点Ｘ２と同様の傾斜角度となっている。
【００２１】
このように本発明においては、身頃のまたぐり上端における前後の寸法差、及び、腰部分の脇線側への傾斜が、一般的なジーンズの身頃よりもそれぞれ大きくなっており、このような特徴を有する前身頃と後身頃を縫製することにより、着用時において生地が全体に後側へ寄りやすく、ヒップを後側上方へ引き上げることができるようなジーンズを製造することができる。
【００２２】
また、本発明のジーンズにおいては、ヒップの丸みに適合した立体形状のポケットが後側に取り付けられている。より具体的に説明すると、一般的なジーンズにおいては、一つのポケットは一枚の生地によって構成されているため、後側ポケットは通常、後身頃のヒップ部分に対して平面的に取り付けられているが、本発明においては、後側ポケットが、二枚の生地を接ぎ合わせることによって立体的に構成されており、ジーンズの着用時において後側ポケットの形状が、ヒップの丸みに適合するようになっている。
【００２３】
図４は、本発明のジーンズに取り付けられる後側ポケット６の説明図である。図４（１）に示されているように、この後側ポケット６は、素材生地を個別に裁断してなる二枚の生地（上パーツ７、及び、下パーツ８）によって構成されている。これらのうち上パーツ７の下方側には、二つの緩やかな凸形の円弧状辺７ａ，７ｂが形成され、下パーツ８の上方側には、二つの緩やかな凹形の円弧状辺８ａ，８ｂが形成されている。
【００２４】
上パーツ７の円弧状辺７ａと下パーツ８の円弧状辺８ａの長さ、及び、上パーツ７の円弧状辺７ｂと下パーツ８の円弧状辺８ｂの長さは、それぞれ同一であるが、円弧の曲率が僅かずつ異なっており、上パーツ７と下パーツ８とを同一平面上で突き合わせると、図４（２）に示すように、両者間の一部に隙間Ｋが生じるような形状となっている。そして、図４（３）に示すように、隙間が生じないように各辺を詰めて上パーツ７と下パーツ８とを接ぎ合わせた場合、中央部が盛り上がったような立体的な形状のポケット６を形成することができる。
【００２５】
尚、図４においては、二枚の生地を接ぎ合わせて構成したポケットの例を示したが、三枚以上の生地を接ぎ合わせてポケットを構成することもでき、或いは、図５に示すように、ダーツＤを取ることによって、一枚の生地でも中央部が盛り上がったような立体的な形状のポケット６を形成することもできる。
【００２６】
更に、本発明のジーンズに取り付けられているポケット６は、図６に示すように左右対称でなく、特殊な輪郭形状をしている。尚、図６は本発明のジーンズの後右側に取り付けられているポケット６の輪郭形状を示す図であり、この図において９ａは上辺、９ｂは脇側側辺、９ｃは脇側下辺、９ｄは中央側下辺、９ｅは中央側側辺、９ｆは最下端部、９ｇは中央側下辺上端部、破線で示す１０は、一般的なジーンズのポケット（の輪郭線）、１１ｆはその最下端部、１１ｇはその中央側下辺上端部である。
【００２７】
一般的なジーンズのポケット１０は、図６からも明らかなように、中心線Ｃを挟んで左右が対称形となっているが、本発明のジーンズの後側ポケット６は、中央側下辺９ｄが、一般的なポケット１０よりも上方に位置するようなデザインとなっている。より詳細には、一般的なポケット１０の場合、中央側下辺上端部１１ｇの位置は、最下端部１１ｆから上方へ０〜１．５ｃｍ程度の位置となるようにデザインされているが、本発明の場合、最下端部９ｆから少なくとも３ｃｍ以上上方に中央側下辺上端部９ｇが位置するようなデザインとなっている。
【００２８】
また、一般的なポケット１０の場合、最下端部１１ｆは中心線Ｃ上に位置しているが、本発明の場合、最下端部９ｆは中心線Ｃよりも脇側に位置するようなデザインとなっている。このため、本発明のジーンズのポケット６は、一般的なポケット１０の中央側下部を一部取り除いたような輪郭形状となっている。尚、後左側に取り付けられているポケット（図示せず）は、図６に示した後右側のポケット６と対称的な輪郭形状となっている。
【００２９】
一般的なジーンズでは、後側のポケットの下に生地の溜まりができやすく、横方向から見たヒップの形が上下方向へ長く見えやすいが、本発明のジーンズにおいては、上述の通り、後側のポケットがヒップの丸みに適合した立体形状となっているほか、中央側下辺が、一般的なポケットよりも上方に位置するようなデザインとなっているため、着用時において横方向から見たヒップの形を上下方向へ短く見せることができ、ヒップアップ効果を期待することができる。
【００３０】
尚、ポケットの形状或いは構造を工夫することによるヒップアップ効果は、腿渡りの寸法を、一般的なジーンズよりも小さく設定することによって更に向上させることができる。本発明のジーンズにおいては、伸縮性のある素材生地が使用されているため、腿周りからヒップ部分にかけて生じやすい生地の弛みを好適に解消できるからである。
【００３１】
尚、ここでは本発明の実施形態として、「ヒップアップ機能付きジーンズ」について説明したが、本発明は「ジーンズ」にのみ適用されるものではなく、他のスラックスにも適用することができる。
【図面の簡単な説明】
【００３２】
【図１】本発明に係るジーンズを構成する前身頃２及び後身頃３（いずれも右半身）の平面図。
【図２】図１に示した前身頃２と後身頃３とを、中心線Ｃ及び裾線２ｄ，３ｄを揃えて重ね合わせた状態を示す図。
【図３】図１に示した前身頃２と後身頃３の腰部分の形状の説明図。
【図４】本発明のジーンズに取り付けられる後側ポケット６の説明図。
【図５】本発明のジーンズに取り付けられる後側ポケット６の他の構成例の説明図。
【図６】本発明のジーンズに取り付けられる後側ポケット６の輪郭線の説明図。
【符号の説明】
【００３３】
２：前身頃、
２ａ，３ａ：またぐり線、
２ｂ，３ｂ：身頃ウエスト線、
２ｃ，３ｃ：脇線、
２ｄ，３ｄ：裾線、
２ｅ，３ｅ：内股線、
２ｆ，３ｆ：またぐり上端、
３：後身頃、
４：一般的なジーンズの前身頃、
５：一般的なジーンズの後身頃、
６：ポケット、
７：上パーツ、
７ａ，７ｂ，８ａ，８ｂ：円弧状辺、
８：下パーツ、
９ａ：上辺、
９ｂ：脇側側辺、
９ｃ：脇側下辺、
９ｄ：中央側下辺、
９ｅ：中央側側辺、
９ｆ，１１ｆ：最下端部、
９ｇ，１１ｇ：中央側下辺上端部、
１０：一般的なジーンズのポケット（の輪郭線）、
Ｃ：中心線、
Ｄ：ダーツ、
Ｈ：ヒップ線、
Ｋ：隙間、
Ｐ：平行線、
Ｒ１，Ｒ２：傾斜角度、
Ｓ：寸法差、
Ｔ：腿渡り線、
Ｘ１，Ｘ２：交点
【図１】
2006118095.tif 000003
【図２】
2006118095.tif 000004
【図３】
2006118095.tif 000005
【図４】
2006118095.tif 000006
【図５】
2006118095.tif 000007
【図６】
2006118095.tif 000008